(57)【要約】【課題】本発明の課題は、光書込ユニット内の光源部へ振動が伝わることを防ぐことにより、光学精度を高め良好な画像品質を提供できる画像形成装置を提供することである。【解決手段】光ビームを出射する光源部１４と、光源部１４を保持する光源保持体７とを光書込ユニット４内に収納した画像形成装置において、光源保持体７は光ビームと平行な軸周りに回動可能に光書込ユニット４の側板に保持しており、且つ上方から光源保持体７を付勢する位置調整部材１０と、この位置調整部材１０の付勢力に抗して光源保持体７を下方から付勢する弾性押圧部材１１とで挟むことにより光源保持体７が位置決め固定されるように設けた。【選択図】　図１
2004025630.tif 000002
【特許請求の範囲】
【請求項１】
光ビームを出射する光源部と、光源部を保持する光源保持体とを光書込ユニット内に収納した画像形成装置において、
光源保持体は光ビームと平行な軸周りに回動可能に光書込ユニットの側板に保持しており、且つ上方から光源保持体を付勢する位置調整部材と、この位置調整部材の付勢力に抗して光源保持体を下方から付勢する弾性押圧部材とで挟むことにより光源保持体が位置決め固定されていることを特徴とする画像形成装置。
【請求項２】
弾性押圧部材は一端が底板に固定され且つ他端が光源保持体の下面に当接しており、弾性押圧部材の下部位置には、弾性押圧部材の下面に当接し且つ上方に向けて押し上げる押圧突起を有する押圧力調整部材を設けており、押圧力調整部材の移動により弾性押圧部材の光源保持体に対する押圧力を変更することを特徴とする請求項１記載の画像形成装置。
【請求項３】
弾性押圧部材と光源保持体との接触面の少なくとも何れか一方に摩擦抵抗部材を設けたことを特徴とする請求項１又は２記載の画像形成装置。
【請求項４】
押圧力調整部材に光源保持体への押圧力の目安となる目盛りを設けたことを特徴とする請求項１乃至３の何れかに記載の画像形成装置。
【発明の詳細な説明】
【０００１】
【発明の属する技術分野】
プリンタ、複写機、ファクシミリ等の光書込ユニットを備えた画像形成装置に関する。
【０００２】
【従来の技術】
例えば、レーザプリンタのような電子写真方式による画像形成装置において、光書込ユニットが装置内に設けられている。この光書込ユニット内には、記録信号に応じて変調した光ビームを出射する光源と、光源から出射された光ビームを偏向させて感光体上を主走査方向に走査する偏向装置等を備え、光ビームを感光体上に走査することにより信号に応じた画像を感光体上に形成して画像記録を行うものである。この光書込ユニットは底板と側板とを有する本体構造体の左右の側板に固定されていた。
【０００３】
光書込ユニットを左右の側板に固定した場合、駆動系等からの振動によりハウジングや光学素子が共振し、光ビームの感光体への書込位置が狙いの位置からずれてしまうという問題点があった。さらに、側板に支持された状態では両持ち梁の状態となって中央部分が振動の影響を強く受けるという問題点があった。
【０００４】
一方、上述の問題を解決すべく特開２０００−２８９４９号公報に開示された従来例では、光書込ユニットを装置本体の底板上に位置決め及び固定を図ることで、振動の防止を図る技術が開示されている。
【０００５】
【発明が解決しようとする課題】
しかし、上述の公報に記載された従来技術では、光書込ユニットを底板に対して４隅で固定するが、装置本体からの振動は固定位置からハウジングに伝わり、振動が光源に伝わって、光ビームの書込位置がずれ十分な光学性能が発揮できなくなるというおそれがあった。また、振動を軽減させるために、光書込ユニットを底板に対して固定箇所を増やすことも考えられるが、レイアウト上の制限があった。
【０００６】
本発明は、光書込ユニット内の光源部へ振動が伝わることを防ぐことにより、光学精度を高め良好な画像品質を提供できる画像形成装置を提供することを目的とする。
【０００７】
【課題を解決するための手段】
請求項１に記載の発明は、光ビームを出射する光源部と、光源部を保持する光源保持体とを光書込ユニット内に収納した画像形成装置において、光源保持体は光ビームと平行な軸周りに回動可能に光書込ユニットの側板に保持しており、且つ上方から光源保持体を付勢する位置調整部材と、この位置調整部材の付勢力に抗して光源保持体を下方から付勢する弾性押圧部材とで挟むことにより光源保持体が位置決め固定されていることを特徴とする。
【０００８】
この請求項１に記載の発明では、光源部を保持する光源保持体は、光書込ユニット内に回動可能に保持されているので、例えば駆動系から本体構造体の底板に伝わった振動が直接光源部に伝わり難い。
【０００９】
また、光源保持体は上方から光源保持体を付勢する位置調整部材と、この位置調整部材の付勢力に抗して光源保持体を下方から付勢する弾性押圧部材とで挟まれることにより位置決め固定されるので、光源保持体を確実に固定することができる。従って、部品誤差等で発生する微小な振動に対応することが可能となり、光源に伝わる振動を効果的に低減して良好な画像品質を保持することができる。
【００１０】
請求項２に記載の発明は、請求項１記載の発明において、弾性押圧部材は一端が底板に固定され且つ他端が光源保持体の下面に当接しており、弾性押圧部材の下部位置には、弾性押圧部材の下面に当接し且つ上方に向けて押し上げる押圧突起を有する押圧力調整部材を設けており、押圧力調整部材の移動により弾性押圧部材の光源保持体に対する押圧力を変更することを特徴とする。
【００１１】
この請求項２に記載の発明では、請求項１記載の発明と同様の作用効果を奏するとともに、光源保持体と本体構造体の底板との間に設ける弾性押圧部材は、一端が底板に固定され且つ他端が光源保持体の下面に当接する片持ち梁状であり、弾性押圧部材を下面から押圧する押圧力調整部材が副走査方向に移動することにより弾性押圧部材の光源保持体に対する押圧力を変更でき、光源保持体の位置の微調整を容易に行うことができる。
【００１２】
請求項３に記載の発明は、請求項１又は２記載の発明において、弾性押圧部材と光源保持体との接触面の少なくとも何れか一方に摩擦抵抗部材を設けたことを特徴とする。
【００１３】
この請求項３に記載の発明では、請求項１又は２記載の発明と同様の作用効果を奏するとともに、弾性押圧部材と光源保持体との接触面の少なくとも何れか一方に摩擦抵抗部材を設けたので、押圧方向（上下方向）の振動に対してだけでなく押圧方向に対して垂直（水平方向）の方向の振動にも低減効果を発揮できる。
【００１４】
請求項４に記載の発明は、請求項１乃至３の何れかに記載の発明において、押圧力調整部材に光源保持体への押圧力の目安となる目盛りを設けたことを特徴とする。
【００１５】
この請求項４に記載の発明では、請求項１乃至３記載の発明と同様の作用効果を奏するとともに、押圧力調整部材の位置を移動させて弾性押圧部材の下面にかかる押圧力を変更する場合には、目盛りを目安にして押圧力調整部材を動かし、所定の位置にてネジで固定することにより光源保持体にかかる押圧力の調整を容易に行うことができる。
【００１６】
【発明の実施の形態】
図１は本発明に係る光書込ユニットの平面図、図２は図１の光源保持体と底板とを示す断面図、図３は図２に係る光源保持体を右側から見た断面図、図４は図２の弾性部材部分を拡大して示す断面図、図５は第２の実施形態を示す断面図、図６は第３の実施形態の押圧力調整部材を示す斜視図である。図７は図１の光書込ユニット部分を概略的に示す断面図である。
【００１７】
光書込ユニット４は、画像形成装置内に配置されており、像担持体である感光体３１に記録信号に応じた静電潜像を形成するものである。本体構造体１は、平面視略長方形状の底板３と、底板３の両側から略垂直方向に立設した側板５とからなる。底板３には光書込ユニット４が設けられており、ユニットの隅部を底板３に固定ネジ６で固定している。尚、本実施の形態では４箇所で固定している。このように、光書込ユニット４を側板５ではなく底板３に固定することで、両側板５に固定した場合に光書込ユニット４が両持ち梁状態となり、中央付近で振動が大きくなるという不具合を防止できる。
【００１８】
光書込ユニット４は、記録信号に応じて変調した光ビームを出射する光源部１４（以後「ＬＤ」という。）と、ＬＤ１４を収納した光源保持部７（以後「ＬＤユニット」）と、偏向手段としてのポリゴンミラー１５、結像ミラー１７、反射ミラー１９、２０等を備えている。
【００１９】
ＬＤユニット７は、コイルバネ３１によって書込ハウジング８内に固定されている。詳しくは、ＬＤ１４の円筒部分にコイルバネ３１が巻かれており、一端が円筒部分の先端部分のバネストッパ３３に係止されており、他端がハウジング８の係合部内に係合されている。コイルバネ３１の付勢力によりＬＤユニット７の本体部分はハウジング８の壁に押し付けられるように固定されている。
【００２０】
ＬＤユニット７の本体の一端には、ＬＤユニット７の回転角度を調整するためのアーム部９が形成されている。ＬＤユニット７のアーム部９は、先端部の上部とハウジング８との間に設けられた調整ネジ（位置調整部材）１０により常時下方に付勢されている。これによりＬＤユニット７には、ＬＤユニット７を矢印Ａの方向に回転させようとする一定のモーメントが常に与えられている。一方、ＬＤユニット７の本体の下面には、後述する弾性押圧部材１１の先端が当接しており、これによってＬＤユニット７の矢印Ａ方向への回動が下方から規制されている。調整ネジ１０は、ハウジング８に一体形成された固定部に螺合して設けられており、固定部からの調整ネジ１０の突出長さを変更することにより、ＬＤユニット７の回転角度が調整され、感光体３１の被走査面における走査ピッチが調整される。
【００２１】
ＬＤユニット７の本体と底板３との間に設けられる弾性押圧部材１１はその一端を底板３に固定ネジ２１で固定しており、片持ち梁状にしている。弾性押圧部材１１の他方の端部はＬＤユニット７の下面と接触し、ＬＤユニット７を上方向へ押し上げるようにしている。
【００２２】
また、弾性押圧部材１１の下部位置には押圧力調整部材１２が設けられており、弾性押圧部材１１を下側から押圧することで、ＬＤユニット７の本体に対する弾性押圧部材１１の押圧力の調整を図っている。押圧力調整部材１２は、一端側（弾性押圧部材の基部側）が上方に向かって凸状に盛り上がった押圧突起２３を形成しており、この押圧突起２３が弾性押圧部材１１の下面に当接して弾性押圧部材１１を上方に向けて押し上げている。
【００２３】
また、押圧力調整部材１２は底板３にネジ２５で固定されるようになっており、ネジ孔１７が長孔状に設けられ、底板３に位置決め自在に固定される。
【００２４】
次に、上述した構成に基づき本実施の形態の作用を説明する。ＬＤユニット７はアーム部９に当接して設けられた調整ネジ１０を回すことで、矢印Ａの方向に回転させようとする一定のモーメントを与えている。そして、ＬＤユニット７の下側からは弾性押圧部材１１がＬＤユニット７を上方に向けて押し上げることで、矢印Ａと反対方向に逆モーメントが働いている。
【００２５】
押圧力調整部材１２は左右方向にスライド自在であり、最も右側に位置するときは押圧突起２３が弾性押圧部材１１の根元付近を下側から押し上げる状態となる。この場合には押圧突起２３から弾性押圧部材１１の先端部分の作用点までの水平距離が長く、弾性押圧部材１１の先端部分がＬＤユニット７の本体を上方へ押し上げる力が弱くなる。
【００２６】
一方、押圧力調整部材１２を左側にスライドさせた場合には、押圧突起２３から弾性押圧部材１１の先端部分の作用点までの水平距離が短く、弾性押圧部材１１の先端部分がＬＤユニット７の本体を上方へ押し上げる力が強くなる。
【００２７】
このように、押圧力調整部材１１を副走査方向に移動することにより弾性押圧部材１１のＬＤユニット７に対する押圧力を変更することができ、ＬＤユニット７の位置の微調整を容易に行うことができる。
【００２８】
光書込ユニット４において、ＬＤ１４を収納したＬＤユニット７と本体構造体１の底板３との間に弾性押圧部材１１を設けたので、例えば駆動系から本体構造体１の側板５、７または底板３に伝わった振動は、弾性押圧部材１１に吸収されるので振動がＬＤユニット７まで伝わり難い。従って、部品誤差等で発生する微小な振動に対応することが可能となり、ＬＤ１４に伝わる振動を効果的に低減して良好な画像品質を保持することができる。
【００２９】
次に、他の実施の形態を説明するが、その説明にあたり上述した部分と同一の作用効果を奏する部分には、同一の符号を付することにより、その部分の詳細な説明を省略する。
【００３０】
図４は第２実施形態に係る光書込ユニットの断面図である。図４に示すように、第２実施形態では、ＬＤユニット７との接触位置である弾性押圧部材１１の先端部において、弾性押圧部材１１の表面にゴム等の高摩擦部材１３を設けた。このように、ＬＤユニット７と底板３との間に摩擦部材を設けているため、押圧方向（上下方向）の振動に対してだけでなく押圧方向に対して垂直（水平方向）の方向の振動にも低減効果を発揮できる。
【００３１】
図５は第３実施形態に係る光書込ユニットの一部分を示す断面図である。図５に示すように、第３実施形態では、押圧力調整部材１２のネジ孔１７の両側に目盛り１９が設けられている。押圧力調整部材１２の位置を移動させて弾性押圧部材１１の下面にかかる押圧力を変更する場合には、目盛り１９を目安にして押圧力調整部材１２を動かし、所定の位置にてネジ２５で固定することによりＬＤユニット７にかかる押圧力の調整を容易に行うことができる。
【００３２】
なお、本発明は上述した実施の形態に限定されず、その要旨を逸脱しない範囲で種々の変形が可能である。例えば、本実施の形態ではＬＤ１４を収納したＬＤユニット７に対して弾性押圧部材１１を設けるようにしたが、これに限定されずポリゴンミラー１５、結像ミラー１７に対して弾性押圧部材１１を設けるようにしても良い。
【００３３】
【発明の効果】
請求項１に記載の発明では、光源部を保持する光源保持体は、光書込ユニット内に回動可能に保持されているので、例えば駆動系から本体構造体の底板に伝わった振動が直接光源部に伝わり難い。
【００３４】
また、光源保持体は上方から光源保持体を付勢する位置調整部材と、この位置調整部材の付勢力に抗して光源保持体を下方から付勢する弾性押圧部材とで挟まれることにより位置決め固定されるので、光源保持体を確実に固定することができる。従って、部品誤差等で発生する微小な振動に対応することが可能となり、光源に伝わる振動を効果的に低減して良好な画像品質を保持することができる。
【００３５】
請求項２に記載の発明では、請求項１記載の発明と同様の効果を奏するとともに、光源保持体と本体構造体の底板との間に設ける弾性部材弾性部材は、一端が底板に固定され且つ他端が光源保持体の下面に当接する片持ち梁状であり、また弾性部材の下面から押圧突起で弾性部材を上方に向けて押し上げている。さらに、押圧力調整部材が副走査方向に移動することにより弾性部材の光源保持体に対する押圧力を変更することで、光源保持体の位置の微調整を容易に行うことができる。
【００３６】
請求項３に記載の発明では、請求項１又は２記載の発明と同様の効果を奏するとともに、弾性押圧部材と光源保持体との接触面の少なくとも何れか一方に摩擦抵抗部材を設けたので、押圧方向（上下方向）の振動に対してだけでなく押圧方向に対して垂直（水平方向）の方向の振動にも低減効果を発揮できる。
【００３７】
請求項４に記載の発明では、請求項１乃至３の何れかに記載の発明と同様の効果を奏するとともに、押圧力調整部材の位置を移動させて弾性押圧部材の下面にかかる押圧力を変更する場合には、目盛りを目安にして押圧力調整部材を動かし、所定の位置にてネジで固定することにより光源保持体にかかる押圧力の調整を容易に行うことができる。
【図面の簡単な説明】
【図１】本発明に係る光書込ユニットの平面図である。
【図２】図１の光源保持体と底板とを示す断面図である。
【図３】図２に係る光源保持体を右側から見た断面図である。
【図４】図２の弾性部材部分を拡大して示す断面図である。
【図５】第２の実施形態を示す断面図である。
【図６】第３の実施形態の押圧力調整部材を示す斜視図である。
【図７】図１の光書込ユニット部分を概略的に示す断面図である。
【符号の説明】
１　　　　　　本体構造体
３　　　　　　底板
４　　　　　　光書込ユニット
７　　　　　　ＬＤユニット（光源保持部）
１０　　　　　調整ネジ（位置調整部材）
１１　　　　　弾性押圧部材
１２　　　　　押圧力調整部材
１４　　　　　ＬＤ（光源部）
２３　　　　　押圧突起
【図１】
2004025630.tif 000003
【図２】
2004025630.tif 000004
【図３】
2004025630.tif 000005
【図４】
2004025630.tif 000006
【図５】
2004025630.tif 000007
【図６】
2004025630.tif 000008
【図７】
2004025630.tif 000009